(57)【要約】【課題】画像処理装置からWebサーバにアクセスする場合に、セキュア性を確保しつつキー操作の作業を軽減することを可能にする。【解決手段】ユーザのログイン名毎、Webサーバ毎に、Webサーバの所在を示す所在情報と、Webサーバに送信する送信情報とを対応付けたWebサーバ管理テーブルを管理する。装置を利用するユーザのログイン名を識別すると（S11）、Webサーバ管理テーブル中の識別されたログイン名に関する内容を決定する（S12）。そして、その内容に含まれるWebサーバへと、対応する送信情報を送信する（S14）。【選択図】図６
2008083809.tif 000002
【特許請求の範囲】
【請求項１】
ネットワークに接続可能な画像処理装置であって、
装置を利用するユーザのログイン名を識別する識別手段と、
各ログイン名毎に、Webサーバの所在を示す所在情報と、Webサーバに送信する送信情報とを対応付けたWebサーバ管理テーブルと、
前記Webサーバ管理テーブル中の、識別されたログイン名に関する所在情報に示されるWebサーバへと、対応する送信情報を送信する送信手段と、を備えることを特徴とする画像処理装置。
【請求項２】
前記送信情報は、Webサーバへのログインに関するWebログイン情報を含み、
ユーザによる入力操作を受けてブラウジングするWebブラウザと、
WebブラウザがアクセスするWebサーバにおいてログインが必要か否かを判定する判定手段と、
前記送信手段は、前記判定手段により必要と判定された場合に、アクセスしたWebサーバへと、対応するWebログイン情報を送信する
ことを特徴とする請求項１に記載の画像処理装置。
【請求項３】
前記Webログイン情報は、Webサーバにおけるログイン名と、当該ログイン名に対応するパスワードとの対を含む
ことを特徴とする請求項２に記載の画像処理装置。
【請求項４】
前記送信情報は、Webサーバへのログインに関するWebログイン情報を含み、
ユーザによる入力操作を受けてブラウジングするWebブラウザと、を備え、
前記送信手段は、前記Webブラウザの起動に応じて、Webサーバへと、対応するWebログイン情報の送信を開始する
ことを特徴とする請求項１に記載の画像処理装置。
【請求項５】
前記送信情報は、Webサーバへのログインに関するWebログイン情報を含み、
ユーザによる入力操作を受けてブラウジングするWebブラウザとを備え、
前記送信手段は、識別手段によるログイン名の識別に応じて、Webブラウザの起動の有無に関わらず、Webサーバへと、対応するWebログイン情報の送信を開始する
ことを特徴とする請求項１に記載の画像処理装置。
【請求項６】
前記送信情報は、Webサーバからのログアウトに関するWebログアウト情報を含み、
ユーザによる入力操作を受けてブラウジングするWebブラウザとを備え、
前記送信手段は、Webブラウザの起動終了時、または装置を利用するユーザのログアウト時に、
Webブラウザの起動終了時のログイン名、またはログアウト時のログイン名に関する所在情報に示されるWebサーバへと、対応するWebログアウト情報を送信する
ことを特徴とする請求項１に記載の画像処理装置。
【請求項７】
前記ログイン名には、個人ユーザに関するログイン名と、前記個人ユーザに関するログイン名の１名以上が構成員として所属する部門における部門ユーザに関するログイン名とが存在し、
識別されたログイン名が、特定の個人ユーザに関するログイン名である場合には、
前記送信手段は、前記個人ユーザに関するログイン名が所属する部門における、部門ユーザに関するログイン名に対応する情報を送信する
ことを特徴とする請求項１に記載の画像処理装置。
【請求項８】
識別されたログイン名が、所属する部門の管理権限が与えられた個人ユーザに関するログイン名である場合には、所属する部門における、部門ユーザに関するログイン名に対応する情報を送信を許可し、
識別されたログイン名が、所属する部門の管理権限が与えられていない個人ユーザに関するログイン名である場合には、所属する部門における、部門ユーザに関するログイン名に対応する情報を送信を禁止する送信制御手段を備える
ことを特徴とする請求項７に記載の画像処理装置。
【請求項９】
前記ログイン名には、個人ユーザに関するログイン名と、前記個人ユーザに関するログイン名の１名以上が構成員として所属する部門ユーザに関するログイン名とが存在し、
さらに、識別されたログイン名が、個人ユーザに関するログイン名である場合には、
前記個人ユーザに関するログイン名に対応した、前記所在情報と前記送信情報とを含む登録内容と、当該個人ユーザが所属する部門ユーザに関するログイン名に対応する前記登録内容とを表示させ、
識別されたログイン名が、部門ユーザに関するログイン名である場合には、
当該部門ユーザに関するログイン名に対応する前記登録内容を表示させる表示制御手段を備える
ことを特徴する請求項１に記載の画像処理装置。
【請求項１０】
さらに、表示された登録内容の編集を受け付ける受付手段と、
識別されたログイン名が、所属する部門の管理権限が与えられた個人ユーザに関するログイン名である場合には、個人ユーザに関するログイン名に対応した登録内容と、部門ユーザに関するログイン名に対応した登録内容の編集の受け付けを許可し、
識別されたログイン名が、所属する部門の管理権限が与えられていない個人ユーザに関するログイン名である場合には、個人ユーザに関するログイン名に対応した登録内容の編集の受け付けを許可する一方、部門ユーザに関するログイン名に対応した登録内容の編集の受け付けを禁止する受付制御手段とを備える
ことを特徴とする請求項９に記載の画像処理装置。
【請求項１１】
受付制御手段は、識別されたログイン名が、部門ユーザに関するログイン名である場合には、表示された登録内容の編集の受け付けを禁止する
ことを特徴とする請求項１０に記載の画像処理装置。
【請求項１２】
クライアント端末が有するWebブラウザ経由の提供要求に応じて、前記ログイン名に関する前記所在情報と前記送信情報とを含む登録内容を含むWebページソースを提供し、登録内容の編集を受け付けるWebサーバ手段を備えることを特徴とする請求項１に記載の画像処理装置。
【請求項１３】
画像処理装置からWebサーバへと情報を送信する情報送信方法であって、
装置を利用するユーザのログイン名を識別する識別ステップと、
各ログイン名毎に、Webサーバの所在を示す所在情報と、Webサーバに送信する送信情報とを対応付けたWebサーバ管理テーブルを参照する参照ステップと、
前記Webサーバ管理テーブル中の、識別されたログイン名に関する所在情報に示されるWebサーバへと、対応する送信情報を送信する送信ステップと、
を備えることを特徴とする情報送信方法。
【請求項１４】
第１のWebブラウザを有するクライアント端末と、画像処理装置とがネットワークを介して接続された画像処理システムであって、
画像処理装置は、
クライアント端末が有する第１のWebブラウザ経由のリモートアクセスに応じて、
アクセス要求主体に関して自装置におけるログイン名を識別し、
Webサーバの所在を示す所在情報と、Webサーバへログイン時に送信するWebログイン情報とを対応付けた登録内容を受け付け、
受け付けた登録内容を、識別されたログイン名と関連付けてWebサーバ管理テーブルとして管理するWebサーバ手段と、
装置をローカルに利用するユーザのログイン名を識別する識別手段と、
表示画面と入力キーとを有する操作パネル部と、
前記入力キーのキー操作を受けてブラウジングする第２のWebブラウザと、
Webサーバ管理テーブル中の、識別されたログイン名に関する所在情報に示されるWebサーバへと、対応するWebログイン情報を送信する送信手段とを備える
ことを特徴とする画像処理システム。
【請求項１５】
表示画面と１以上の入力キーとを有する操作パネル部と、
装置を利用するユーザのログイン名を識別する識別手段と、
各ログイン名毎に、項目と各項目の値との対応が登録されたユーザ管理テーブルと、
識別されたログイン名に関する項目と各項目の値とを、前記入力キーに省入力キーとして割り当てるキー割当手段と
を備えることを特徴とする画像処理装置。
【請求項１６】
さらに、表示画面と入力キーとを有する操作パネル部と、
前記入力キーのキー操作を受けてブラウジングするWebブラウザと、
カーソル位置を検出するカーソル位置検出手段と、
Webブラウザ画面内の入力ボックス内に、カーソル位置が検出された場合に、割り当てた省入力キーを有効化するキー制御手段を備えることを特徴とする請求項１５に記載の画像処理装置。
【請求項１７】
前記項目は、装置を利用するユーザに関する氏名，姓，名，メールアドレス，住所または所属する部門名の少なくとも１つである
ことを特徴とする請求項１５に記載の画像処理装置。
【請求項１８】
前記表示画面は、タッチパネルであり、
前記複数の入力キーは、タッチパネル上のソフトキーと、ハードキーとから構成され、
前記キー割当手段は、前記ハードキーに各項目の値を割り当てる
ことを特徴とする請求項１５に記載の画像処理装置。
【発明の詳細な説明】
【技術分野】
【０００１】
本発明は、Webブラウザを備える画像処理装置などに関する。
【背景技術】
【０００２】
近年、印刷・コピー・ファクシミリ・スキャナなどの多種機能を備えた画像処理装置[画像形成装置、複合機、MFP（Multi Function Peripheral）とも呼ばれる]が多く用いられている。さらに、このような装置においてWebサーバへのアクセス機能を備え、アクセスしたWebページを印刷できる装置も存在する（特許文献１参照）。
このように、各種機能を備えた画像処理装置にWebアクセス機能が搭載されていると、PC（Personal Computer）を介することなく、直接画像処理装置で各種Webサーバにアクセスして種々の入出力作業を行うことが可能となる。
【特許文献１】特開平11-134125号公報
【発明の開示】
【発明が解決しようとする課題】
【０００３】
ところで、Webサーバへのアクセスに際して、各ユーザ別の情報の入力を行わねばならないことがある。
例えば、Webサーバよっては、アクセスを受けたとき、ユーザ認証を行うためのログインIDやパスワードの入力を求める設定がなされている場合がある。特に、業務上アクセスするWebサーバはセキュリティを保持する目的や管理の目的でアクセス時にユーザ認証が必要な場合がほとんどであり、アクセスの都度ログインIDやパスワードの入力が元米良得る、また、ログイン後の作業を行う場合や、ログイン不要なWebサーバの場合であっても、電子メールアドレスやファクシミリ番号、書類等の送付先、所属部署名などの各ユーザ別の情報の入力が求められることが少なくない。
【０００４】
画像処理装置では通常、ハードウェアとしての入力キーは数値キーやいくつかの機能キーが設けられているだけであり、多くの入力は、タッチパネル表示部に仮想の入力キーを表示し、ユーザがそれにふれることで行われる。しかしこのような手法で多数の文字からなる文字列を入力するのは、慣れないユーザには難しい。
これを解決するためには、ワンタッチキーのような機能を利用してあらかじめ情報を登録しておけば入力は用意になると考えられる。
一方で、このような画像処理装置はPC等に比してその導入費用が高いことや、装置の占有面積が広いことなどの事情により、１オフィスに１台といったように、１台の画像処理装置が多数の使用者に共用されている場合がほとんどである。従って、上記のように予め情報を登録しておくと、各ユーザの個人情報を他のユーザに見られたり、無断使用されてWebサーバにアクセスされるおそれがあり、セキュリティ上好ましくない。
【０００５】
また、仮にセキュリティを考慮しなくて良い場合であっても、上述のような事情により、画像処理装置への送信情報の入力は容易ではない。また、仮に送信情報を予め登録していたとしても、1台の画像処理装置が多数の使用者に共用されている場合、登録されている情報は膨大な量となり、その中から自分が使用すべき情報を探すことは容易ではなくなると考えられる。
【０００６】
本発明は、上述の事情に鑑みてなされたものであり、画像処理装置からWebサーバにアクセスして各種作業を行う際に、セキュリティを確保しつつ、容易に各ユーザ別の情報をWebサーバに送信することが可能な画像処理装置を提供することを目的としている。
さらに、本発明は、画像処理装置からWebサーバにアクセスして各種作業を行う際に、その都度送信情報を入力する必要がなく、また多数の情報の中から自己が使用すべき情報を探すような手間を軽減し、用意に各ユーザ別の情報をWebサーバに送信することが可能な画像処理装置を提供することを目的とする。
【課題を解決するための手段】
【０００７】
上記目的を達成するために、本発明に係る画像処理装置は、ネットワークに接続可能な画像処理装置であって、装置を利用するユーザのログイン名を識別する識別手段と、各ログイン名毎に、Webサーバの所在を示す所在情報と、Webサーバに送信する送信情報とを対応付けたWebサーバ管理テーブルと、前記Webサーバ管理テーブル中の、識別されたログイン名に関する所在情報に示されるWebサーバへと、対応する送信情報を送信する送信手段と、を備えることを特徴とする。
【０００８】
また、前記送信情報は、Webサーバへのログインに関するWebログイン情報を含み、ユーザによる入力操作を受けてブラウジングするWebブラウザと、WebブラウザがアクセスするWebサーバにおいてログインが必要か否かを判定する判定手段と、前記送信手段は、前記判定手段により必要と判定された場合に、アクセスしたWebサーバへと、対応するWebログイン情報を送信することを特徴とする。
【０００９】
また、前記Webログイン情報は、Webサーバにおけるログイン名と、当該ログイン名に対応するパスワードとの対を含むことを特徴とする。
また、前記送信情報は、Webサーバへのログインに関するWebログイン情報を含み、ユーザによる入力操作を受けてブラウジングするWebブラウザと、を備え、前記送信手段は、前記Webブラウザの起動に応じて、Webサーバへと、対応するWebログイン情報の送信を開始することを特徴とする。
【００１０】
また、前記送信情報は、Webサーバへのログインに関するWebログイン情報を含み、ユーザによる入力操作を受けてブラウジングするWebブラウザとを備え、前記送信手段は、識別手段によるログイン名の識別に応じて、Webブラウザの起動の有無に関わらず、Webサーバへと、対応するWebログイン情報の送信を開始することを特徴とする。
また、前記送信情報は、Webサーバからのログアウトに関するWebログアウト情報を含み、ユーザによる入力操作を受けてブラウジングするWebブラウザとを備え、前記送信手段は、Webブラウザの起動終了時、または装置を利用するユーザのログアウト時に、Webブラウザの起動終了時のログイン名、またはログアウト時のログイン名に関する所在情報に示されるWebサーバへと、対応するWebログアウト情報を送信することを特徴とする。
【００１１】
また、前記ログイン名には、個人ユーザに関するログイン名と、前記個人ユーザに関するログイン名の１名以上が構成員として所属する部門における部門ユーザに関するログイン名とが存在し、識別されたログイン名が、特定の個人ユーザに関するログイン名である場合には、前記送信手段は、前記個人ユーザに関するログイン名が所属する部門における、部門ユーザに関するログイン名に対応する情報を送信することを特徴とする。
【００１２】
また、識別されたログイン名が、所属する部門の管理権限が与えられた個人ユーザに関するログイン名である場合には、所属する部門における、部門ユーザに関するログイン名に対応する情報を送信を許可し、識別されたログイン名が、所属する部門の管理権限が与えられていない個人ユーザに関するログイン名である場合には、所属する部門における、部門ユーザに関するログイン名に対応する情報を送信を禁止する送信制御手段を備えることを特徴とする。
【００１３】
また、前記ログイン名には、個人ユーザに関するログイン名と、前記個人ユーザに関するログイン名の１名以上が構成員として所属する部門ユーザに関するログイン名とが存在し、さらに、識別されたログイン名が、個人ユーザに関するログイン名である場合には、前記個人ユーザに関するログイン名に対応した、前記所在情報と前記送信情報とを含む登録内容と、当該個人ユーザが所属する部門ユーザに関するログイン名に対応する前記登録内容とを表示させ、識別されたログイン名が、部門ユーザに関するログイン名である場合には、当該部門ユーザに関するログイン名に対応する前記登録内容を表示させる表示制御手段を備えることを特徴する。
【００１４】
さらに、表示された登録内容の編集を受け付ける受付手段と、識別されたログイン名が、所属する部門の管理権限が与えられた個人ユーザに関するログイン名である場合には、個人ユーザに関するログイン名に対応した登録内容と、部門ユーザに関するログイン名に対応した登録内容の編集の受け付けを許可し、識別されたログイン名が、所属する部門の管理権限が与えられていない個人ユーザに関するログイン名である場合には、個人ユーザに関するログイン名に対応した登録内容の編集の受け付けを許可する一方、部門ユーザに関するログイン名に対応した登録内容の編集の受け付けを禁止する受付制御手段とを備えることを特徴とする。
【００１５】
また、受付制御手段は、識別されたログイン名が、部門ユーザに関するログイン名である場合には、表示された登録内容の編集の受け付けを禁止することを特徴とする。
また、クライアント端末が有するWebブラウザ経由の提供要求に応じて、前記ログイン名に関する前記所在情報と前記送信情報とを含む登録内容を含むWebページソースを提供し、登録内容の編集を受け付けるWebサーバ手段を備えることを特徴とする。
【００１６】
ここで、請求項における「登録内容の編集」とは、既存の登録内容の変更・追加・削除のみならず、新規の登録をも含む概念である。
また、本発明に係る情報送信方法は、画像処理装置からWebサーバへと情報を送信する情報送信方法であって、装置を利用するユーザのログイン名を識別する識別ステップと、各ログイン名毎に、Webサーバの所在を示す所在情報と、Webサーバに送信する送信情報とを対応付けたWebサーバ管理テーブルを参照する参照ステップと、前記Webサーバ管理テーブル中の、識別されたログイン名に関する所在情報に示されるWebサーバへと、対応する送信情報を送信する送信ステップと、を備えることを特徴とする。
【００１７】
本発明に係る画像処理システムは、第１のWebブラウザを有するクライアント端末と、画像処理装置とがネットワークを介して接続された画像処理システムであって、画像処理装置は、クライアント端末が有する第１のWebブラウザ経由のリモートアクセスに応じて、アクセス要求主体に関して自装置におけるログイン名を識別し、Webサーバの所在を示す所在情報と、Webサーバへログイン時に送信するWebログイン情報とを対応付けた登録内容を受け付け、受け付けた登録内容を、識別されたログイン名と関連付けてWebサーバ管理テーブルとして管理するWebサーバ手段と、装置をローカルに利用するユーザのログイン名を識別する識別手段と、表示画面と入力キーとを有する操作パネル部と、前記入力キーのキー操作を受けてブラウジングする第２のWebブラウザと、Webサーバ管理テーブル中の、識別されたログイン名に関する所在情報に示されるWebサーバへと、対応するWebログイン情報を送信する送信手段とを備えることを特徴とする。
【００１８】
本発明に係る画像処理装置は、表示画面と１以上の入力キーとを有する操作パネル部と、装置を利用するユーザのログイン名を識別する識別手段と、各ログイン名毎に、項目と各項目の値との対応が登録されたユーザ管理テーブルと、識別されたログイン名に関する項目と各項目の値とを、前記入力キーに省入力キーとして割り当てるキー割当手段とを備えることを特徴とする。
【００１９】
また、さらに、表示画面と入力キーとを有する操作パネル部と、前記入力キーのキー操作を受けてブラウジングするWebブラウザと、カーソル位置を検出するカーソル位置検出手段と、Webブラウザ画面内の入力ボックス内に、カーソル位置が検出された場合に、割り当てた省入力キーを有効化するキー制御手段を備えることを特徴とする。
また、前記項目は、装置を利用するユーザに関する氏名，姓，名，メールアドレス，住所または所属する部門名の少なくとも１つであることを特徴とする。
【００２０】
前記表示画面は、タッチパネルであり、前記複数の入力キーは、タッチパネル上のソフトキーと、ハードキーとから構成され、前記キー割当手段は、前記ハードキーに各項目の値を割り当てることを特徴とする。
【発明の効果】
【００２１】
請求項１記載の発明は、画像処理装置がセキュリティ保持やコスト管理のため使用開始時にログインを行う設定が可能であるよう構成されている点に着目し、画像処理装置へのログインをもってユーザを識別し、この識別結果に基づいて、ログインしているユーザに対応した送信情報をWebサーバに送信するようにすることで、ユーザが改めて自身の情報を入力しなくても済むようにしたものである。
【００２２】
これにより、画像処理装置を使用してWebサーバにアクセスする際に、改めて入力しなくとも自身の情報をWebサーバに送信することができ、かつ、他人に個人情報を見られたり、無断使用されてWebサーバにアクセスされるような問題の発生を防止することができる。あるいは、自身の情報を改めて入力することなく、また多数の情報の中から自己がしようすべき情報を探すような手間をかけることもなく、ユーザは容易に自身の情報をWebサーバに送信させることができる。
【００２３】
請求項２記載の発明によれば、アクセスしたWebサーバへと、Webログイン情報を送信するため、ユーザはWebログインに要する内容を手入力せずとも、アクセス時にWebログインを試みることが可能となる。
請求項４記載の発明によれば、Webログインをまもなく実行する可能性が高いWebブラウザの起動時に、前もって、ユーザによる手入力無しに、Webログインを試みることが可能となる。
【００２４】
請求項５記載の発明によれば、前もって、ユーザによる手入力無しに、Webログインを試みることが可能となる。
請求項６記載の発明の構成によれば、Webブラウザの起動終了時またはログアウト時に、Webサーバへと関連するWebログアウト情報を送信して、Webログアウトを試みるので、無駄なログアウトが継続される事態が避けられ、セキュア性を高めることが可能となる。
【００２５】
請求項７記載の発明によれば、個人ユーザとしてログインした場合に、個人ユーザに関する送信情報のみならず、所属する部門に関する送信情報をも利用することが可能となるので、よりキー操作の負担が軽減される。
請求項８記載の発明によれば、部門ユーザに関する送信情報の流用を、管理権限を有するユーザに制限することで、送信情報が本来想定しないユーザに無断使用されることを防止することが可能となる。
【００２６】
請求項９記載の発明によれば、部門ユーザとしてログインした場合に、ログインした部門に関する送信情報をも利用することが可能となるので、キー操作の負担が軽減される。
請求項１０記載の発明によれば、管理権限が与えられていない個人ユーザに関するログイン名が識別された場合に、当該個人ユーザに関するログイン名に対応した登録内容編集を受け付けてユーザの利便性を確保できる一方で、例えば、上記個人ユーザの所属する部門の部門ユーザに関するログイン名に対応した登録内容の編集の受け付けを禁止するので、部門ユーザに関するログイン名における送信情報が本来想定しないユーザに不用意に閲覧されたり、無断で書き換えられることを防止することが可能となる。
【００２７】
請求項１２記載の発明によれば、Webブラウザを備えるPCやPDAなどの様々な端末から登録内容を閲覧・編集を行うことができ、ユーザに使用端末や接続場所の自由度を与えることができる。
請求項１５記載の発明によれば、省入力キーを押下することで各項目の値を入力することができ、例えば、項目の値として、頻繁に入力するであろう、氏名，住所，電話番号などを割り当てることでキー操作の負担を軽減することができる。
【００２８】
請求項１６記載の発明によれば、好機に、省入力キーを有効化してユーザインターフェイスの向上に貢献することができる。
【発明を実施するための最良の形態】
【００２９】
（実施の形態）
本実施の形態について図面を参照しながら説明する。
＜構成＞
図１は、実施の形態１に係る画像処理システム（Webログインユーティリティシステム）１のシステム構成を示す図である。
【００３０】
画像処理システム１は、LAN（Local Area Network）内のMFP（Multi Function Peripheral）１０とPC（Personal Computer）１００、Webサーバ２の装置を含んでいる。
Webサーバ２は、例えば部品の発注処理を受け付けるサーバであり、利用にはWeb経由のログイン（Webログイン）が必要である。
図２は、MFP１０の構成を示す機能ブロック図である。
【００３１】
MFP１０は、制御部１２、スキャナ部１４、ＦＡＸ部１６、プリンタ部１８、メーラー部２０、操作パネル部２２、ネットワークI/F部２４、Webブラウザ部２６、Webサーバ部２８、記憶部３０を備えている。
制御部１２は、ＣＰＵ、ＲＡＭ、ＲＯＭ等のハードウェアから構成されており、MFP１０の各部の動作を統括的に制御する。
【００３２】
スキャナ部１４は、原稿用紙を読み取ることにより画像データを作成する。
ＦＡＸ部１６は、ファクシミリ機能を実現する。
プリンタ部１８は、画像データを用紙に印刷する。
メーラー部２０は、電子メールを作成し、送受信する。
操作パネル部２２は、ユーザに対して表示を行うとともに入力操作を受け付けるユーザインターフェイスであり、ハードウェアとしては表示部を含むタッチパネルと押しボタンキー（ハードキー）とから構成される。
【００３３】
ネットワークI/F部２４は、ネットワーク接続（通信）を行う機能ブロックである。
Webブラウザ部２６は、(1)指定されたURL（Uniform Resource Locator）にHTTP要求を送信することで、ウェブページソースを取得（ダウンロード）、解析し、(2)ユーザにとって読みやすい形式のウェブページとして、操作パネル部２２のタッチパネルに表示させる。
【００３４】
Webサーバ部２８は、Webサーバ機能を実現する機能ブロックであり、クライアントの要求に応じて、URL情報を含むHTML形式（XML形式でも構わない。）のウェブページソース（ウェブページの元となる情報）を、要求するクライアントPCなどの端末に提供する。
記憶部３０は、例えば、ハードウェアとしてHDD（Hard Disk Drive）から構成され、画像データなどMFP１０で取り扱われる各種データを記憶しており、ログイン名管理テーブル３２、Webログイン管理テーブル３４、ユーザ管理テーブル３６、部門管理テーブル３８を備えている。
【００３５】
部門管理テーブル３８は、部門名と、各部門の構成員のログイン名、構成員の権限の度合い（管理権限を有する管理者か、有さない一般ユーザか。）を含んでいる。
図３は、ログイン名管理テーブル３２を示す表である。
ログイン名管理テーブル３２は、MFP１０の装置本体を使用開始するためのログインアカウントの管理に用いるテーブルであり、「ログイン名」（ログインID）と「パスワード」の対を含んでいる。
【００３６】
ログインアカウントは、ユーザ個人としてのログインを想定した「個人ユーザ」と、部門としてのログインを想定した「部門ユーザ」の２種類のアカウントがある。
「部門」とは、１名以上の個人ユーザログイン名を構成員としたアカウントである。構成員には、管理権限を有する者（管理者:administrator）と、管理権限を有さない構成員（一般ユーザ）とが存在する。
【００３７】
例えば、「部門１」は、「ユーザH」と「ユーザI」との２つのログイン名を構成員としており、「ユーザH」は一般ユーザで、「ユーザI」は管理者となっている。
図４はWebログイン管理テーブル３４を示す表であり、（ａ）は個人ユーザの一部分に関し、（ｂ）は部門ユーザの一部分に関する。
図４（ａ）では、「ユーザH」のWebログイン情報が示されている。「WebサーバURL」「アカウント名」「パスワード」の３項目で１セットとなっており、「アカウント名」及び「パスワード」は対応する「WebサーバURL」においてWebログインに用いられる。
【００３８】
なお「WebサーバURL」は、通常、ログイン画面が表示されるURLである。もっとも正規表現等を用いてURL文字列を抽象化したものであっても構わない。
このようなWebログイン情報は、個人ユーザ毎に管理されている。
図４（ｂ）は、「部門１」のWebログイン情報が示されている。部門ユーザについても個人ユーザと同様、部門ユーザ毎にWebログイン情報が管理されている。
【００３９】
図５は、ユーザ管理テーブル３６において「ユーザH」に関する部分を示す図である。
「ユーザＨ」の、項目名はユーザＨの個人情報に関するものであり、「氏名」、「姓」、「名」、「所属部門」、「E-mail」、「電話番号」、「住所」を含んでいる。項目名にそれぞれ項目の値が対応している。
例えば、項目名「電話番号」には「06-1234-567」の値が対応している。
【００４０】
なお、「所属部門」の項目の値内に、「一般ユーザ」とあるのはユーザHが管理権限を有さないことを示している。管理権限を有するユーザの場合には、この値は「管理者」となる。
続いて、MFP１０の制御部１２が実行するWebログイン処理について説明する。
Webログイン処理については、３つの態様が考えられる。以下、順に説明する。
【００４１】
（１）Webログイン処理その１
図６に示すように、MFP１０へのユーザのログイン実行があれば（S11:Yes）、そのログイン名に基づいて送信対象となるWebログイン情報を決定する（S12）。
WebブラウザでWebログインが必要なWebサーバへのアクセスがユーザによって指示されれば（S13:Yes）、Webサーバ宛に、対応するアカウント名とパスワードとの対を送信して、Webログインを試みる（S14)。
【００４２】
ユーザのログアウト実行があれば（S15:Yes）、処理を終了する。
この処理によれば、Webログイン情報を登録済みのWebサーバへアクセスする場合に、Webログインを手入力無く済ますことが可能となる。
（２）Webログイン処理その２
図７に示すように、Webブラウザが起動されると（S22:Yes）、MFP１０へのログイン名に基づいて、送信対象となるWebログイン情報を決定し（S23）、Webサーバ宛に対応するアカウント名とパスワードとの対を送信して、Webログインを試みる（S24）。
【００４３】
ユーザのログアウト実行があれば（S25:Yes）、処理を終了する。
この処理によれば、Webブラウザの起動を契機としてWebログインを試みるので、図６の例と比べて早い段階でWebログインが可能となる。このため、後々ユーザがWebブラウザを利用して、Webログイン済みのWebサーバへアクセスした場合に、高速なレスポンスを期待することが可能となる。
【００４４】
（３）Webログイン処理その３
図８には示すように、ユーザのMFPへのログイン実行を契機として(S31)、Webログイン情報を決定し(S32)、直ちにWebサーバ宛に対応する情報を送信する(S33)。
この処理によれば、さらに早期のWebログインが可能となる。
また、Webログイン状況の表示要求が有れば（S34:Yes）、Webログイン状況を表示する（S35）。
【００４５】
図９に、ステップS35におけるWebログイン状況の表示画面を示す。
操作パネル部２２は、ハードキー群４０と、タッチパネル５０とを備えている。
ハードキー群４０は、テンキー、スキャンやコピー等の機能に関するキー、「キー１」４１〜「キー５」４５の省入力キーを有する。
タッチパネル５０の画面内には、ログイン状況の表が表示されており、「WebサーバURL」、「アカウント名」、「ログイン状態」の項目が含まれる。
【００４６】
「ログイン状態」には、ログイン試行中、ログイン中、ログアウト中の３状態がある。
このようにログイン状況を表示することで、ユーザにログイン状況を把握させることが可能となる。
図８のフローに戻って、ユーザによるMFP１０からのログアウトが実行されば（S36）、Webログインを試みた全てのWebサーバ宛に、ログアウトを試みる（S37）。
【００４７】
この処理によれば、ユーザのログアウト（もしくはWebブラウザの起動終了でもよい。）により、しばらく利用が見込まれなくなったWebサーバからログアウトすることができ、セキュア性を高めることができる。
図１０は、MFP１０の制御部１２が実行する省入力キーと割り当てを用いた入力処理の概要を示すフローチャートである。
【００４８】
ユーザのMFP１０へのログイン実行があれば（S41:Yes）、そのログイン名に基づいてユーザ情報を決定する（S42）。
ユーザからの指示によりWebブラウザが起動された後、ユーザ名等の入力が必要とされるWebページへのアクセスがなされると、Webブラウザ画面上に入力欄（入力ボックス）が表示される。
【００４９】
このWebブラウザ画面上の入力欄へのカーソル移動を検出すると（S43）、省入力キー「キー１」４１〜「キー５」４５に、ログイン中のユーザに対応するユーザ管理テーブルに登録されている項目値を割り当て、タッチパネル内に省入力キーに割り当てた項目名５４（項目値でも構わない）を表示する（S44）。
図１１は、ステップS44におけるタッチパネル５０と、省入力キー４１〜４５を示す図である。
【００５０】
省入力キー４１〜４５には、順に、姓、名、氏名、E-mail、所属部門の項目値が割り当てられており、タッチパネル５０の右方には、各省入力キーに対応する項目名が表示されている。
図１１においては、省入力キー４１がちょうど押下された時点を示している。Webブラウザ画面内の入力ボックス５５には、項目値に対応する「橋本」が入力され、カーソル５７は「橋本」の後ろに移動されている。
【００５１】
このような省入力キーを利用することで、ワンタッチでユーザ情報として登録した内容を入力することが可能となる。
なお、省入力キーは利用可能性の高いものを優先的に割り当てて、ユーザの省入力キーの選択の手間を省くようにしても構わない。例えば、入力ボックスの性質を判断して（名前の入力ボックス５６に対応するWebページソースには"first name"などのタグが含まれているであろう。）、関連する項目を優先的に省入力キーとして割り当てても良い。
【００５２】
次に、MFP１０におけるログインアカウントの違い（個人ユーザか部門ユーザか）に応じて、異なる処理をする場合の２例を説明する。
（１）部門・個人別Webログイン処理
図１２は、MFP１０の制御部１２が実行するWebログイン処理の一例の概要を示すフローチャートである。
【００５３】
ユーザのMFP１０へのログイン実行があれば（S50:Yes）、そのログイン名に基づいて送信対象となるWebログイン情報を決定する（S51）。
ログインアカウントが、(A)個人ユーザである場合は、当該ユーザのログイン名に対応するWebログイン情報を用い、(B)部門ユーザである場合は、当該部門のログイン名に対応するWebログイン情報を用いてログインを試みる（S52）。
【００５４】
ログインアカウントが個人ユーザであって（S53:「個人ユーザ」）、個人ユーザが所属する部門の管理者であれば（S54:Yes）、さらに個人ユーザが所属する部門のログイン名に対応するWebログイン情報を用いて、ログインを試みる。
この処理によれば、部門の管理者であるユーザは、MFP１０に個人ユーザとしてログインした場合に、ログインしたログイン名に関するWebログイン情報にのみならず、管理する部門のログイン名に関するWebログイン情報をも一挙に利用することが可能となる。
【００５５】
（２）部門・個人別情報閲覧・登録処理
図１３は、MFP１０の制御部１２が実行する情報の閲覧や登録処理の例を示すフローチャートである。
MFP１０へのログインアカウントが部門アカウント（部門ユーザ）である場合には（S61:Yes）、
画面には登録情報の閲覧だけを許可し（閲覧キーのみを表示し）、登録情報の編集キーを表示しない（S62）。閲覧要求があれば、部門アカウントの登録情報を表示する（S63）。
【００５６】
ここで、登録情報とは、ログイン名に関するWebログイン情報３４などの登録内容を示す情報である。
図１４は、ステップS62におけるタッチパネル５０を示す図である。
図１４（ｂ）に示すように、タッチパネル５０内には、登録情報として、２つのWebサーバのURL（Uniform Resource Locator）を示すキー６２，６３が表示されており、キー６２が白黒反転の選択状態となっている。閲覧キー６４が押下されると、選択されたキーに対応するWebサーバの登録情報表示の画面に遷移する（図示せず。）。
【００５７】
タッチパネル５０内には、閲覧キー６４のみが表示され、登録情報の編集キーは非表示である。
これは、部門ユーザのアカウントは、例えば、企業の部署のメンバーや、あるプロジェクトのメンバーなどの多くのユーザによる共用が想定される。このため、部門アカウントとしてのログインの場合に、安易に登録情報の編集を認めてしまうことは好ましくないからである。
【００５８】
図１３に戻って、MFPへのログインが部門アカウントでなく個人アカウントであって（S61:No）、部門アカウントの管理者ではない場合には（S64:No）、画面には個人アカウントの登録情報の閲覧キーに加えて編集キー、新規登録キー等も表示する（S67）。そして、表示したキーを介して登録情報の閲覧、編集、新規登録などを受け付ける（S68）。
図１５は、ステップS67におけるタッチパネル５０を示す図である。
【００５９】
図１５（ａ）には、Webログイン登録のキー６０，６１が表示されている。
キー６０が押下により選択されると、個人アカウントに関する登録情報の選択メニューに遷移する［図１５（ｂ）］。
図１５（ｂ）には、WebサーバのURLを示すキー６９，７０、閲覧キー６４、新規登録キー６５、編集キー６６、削除キー６７が表示されている。
【００６０】
キー６１が押下により選択されると、部門アカウントに関する登録情報の選択メニューに遷移する［図１５（ｃ）］。図１５（ｃ）の選択メニューには、閲覧キー６４のみが表示され、登録情報の編集関係のキーは非表示となっている。
図１３に戻って、MFPへのログインが部門アカウントでなく個人アカウントであって（S61:No）、部門アカウントの管理者である場合には（S64:Yes）、画面には個人アカウントの登録情報と、所属する部門アカウントの登録情報の編集キー、新規登録キー等を表示する（S65）。そして、表示したキーを介して登録情報の閲覧、編集、新規登録などを受け付ける（S66）。
【００６１】
図１６は、ステップS65におけるタッチパネル５０を示す図である。
図１６（ｃ）においては、図１５（ｃ）とは異なり、閲覧キー６４のみならず、新規登録キー６５、編集キー６６、削除キー６７が表示されている。
図１４〜図１６で示した例は、MFP１０本体のタッチパネル５０における表示や編集を説明したが、MFP１０と接続されたPC１００からも登録内容の表示や編集を行うことも可能である。具体的には、図１７に示すように、PC１００の備えるWebブラウザを使用して、MFP１０のWebサーバ部２８が公開するWebサーバにアクセスする。
【００６２】
MFP１０のWebブラウザ部２６で用いるWebログイン情報の設定を、MFP１０からすればリモートなPC１００のWebブラウザ経由で行う。設定されたWebログイン情報は、MFP１０におけるWebブラウザ部２６によって、操作パネル部２２の認証画面からのログイン（ネットワーク経由でないMFP１０におけるローカルなログインである。）を経た後に、利用される。
【００６３】
図１８は、PC１００のWebブラウザウインドウ１１０を示す図である。ステップS62に対応し、部門アカウントの登録情報が表示されている。
アドレスバー１１２内には、MFP１０のWebサーバ部２８のURL"http://10.128.XX.10/program.xml"が表示されている。
ウインドウ１１０内には、Webログイン登録の登録名としてのURLと、対応するラジオボタン１１３，１１４が表示されている。１以上のラジオボタン１１３，１１４が選択された状態で、閲覧ボタン１１６が押下されると、登録名に対応するWebログイン情報をが表示される。Webログイン情報の編集を行うことはできない。
【００６４】
なお、クリアボタン１１７はラジオボタン１１３，１１４の選択を除去するボタンである。
図１９は、PC１００のWebブラウザウインドウ１１０を示す図である。ステップS67に対応し、個人アカウントの登録情報が表示されている。
左フレーム内には、Webログイン登録（個人）１３０、Webログイン登録（部門）１３２の２つの選択メニューが表示されている。
【００６５】
また、登録名を選択するラジオボタン１１９，１２０、新規登録ボタン１２６、既存編集ボタン１２２、クリアボタン１１７、削除ボタン１２４が表示されている。
図２０は、PC１００のWebブラウザウインドウ１１０を示す図である。ステップS67に対応し、部門アカウントの登録情報が表示されている。
左フレーム内には、Webログイン登録（個人）１３０、Webログイン登録（部門）１３２の２つの選択メニューが表示されている。
【００６６】
また、登録名を選択するラジオボタン１１３，１１４、閲覧ボタン１１６、クリアボタン１１７が表示されている。
図２１は、PC１００のWebブラウザウインドウ１１０を示す図である。ステップS65に対応し、個人アカウントの登録情報が表示されている。図２１は図１９と同様である。
左フレーム内には、選択状態にあるWebログイン登録（個人）１３０、Webログイン登録（部門）１３２の２つの選択メニューが表示されている。
【００６７】
また、登録名を選択するラジオボタン１１９，１２０、新規登録ボタン１２６、既存編集ボタン１２２、クリアボタン１１７、削除ボタン１２４が表示されている。
図２２は、PC１００のWebブラウザウインドウ１１０を示す図である。ステップS65に対応し、部門アカウントの登録情報が表示されている。
左フレーム内には、Webログイン登録（個人）１３０、選択状態にあるWebログイン登録（部門）１３２の２つの選択メニューが表示されている。
【００６８】
また、登録名を選択するラジオボタン１１３，１１４、新規登録ボタン１２６、既存編集ボタン１２２、クリアボタン１１７、削除ボタン１２４が表示されている。
（その他）
（１）実施の形態においては、MFP１０へのログインの際には、ユーザを認証する例で説明しているが、認証でなくとも（使用者の権限の正当性の判断まで行わなくても）、少なくとも固有なユーザ名が識別ないし検出することができれば、本発明は実施可能である。
【００６９】
（２）実施の形態においては詳細を述べなかったが、各種発注処理を受け付けるWebサーバにおいてはアカウントを個人ユーザ単位でなく部門ユーザ単位で発行し、ユーザ側は発行された部門ユーザのアカウントを共用（使い回す）する使用形態がある。本発明は、このように部門ユーザと個人ユーザとで取り扱いを異にするWebサーバに対して特に有用である。
【００７０】
（３）本発明に係る画像処理装置は、Webサーバへ情報を送信する情報送信方法（Webログイン方法）として適用でき、さらに、この方法をコンピュータにより実現するプログラムに適用することもできる。そのプログラムとしては、例えば磁気テープ、フレキシブルディスク等の磁気ディスク、DVD、CD-ROM、CD-R、MO、PDなどの光記録媒体、Smart Media（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００７１】
また、上記プログラムは、上記に説明した処理をコンピュータに実行させるための全てのモジュールを含んでいる必要はなく、例えば通信プログラムやオペレーティングシステム（OS）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【産業上の利用可能性】
【００７２】
本発明によれば、画像処理装置からWebサーバにアクセスする場合に、簡単なキー操作を可能とするため有用である。
【図面の簡単な説明】
【００７３】
【図１】実施の形態１に係る画像処理システム１のシステム構成を示す図である。
【図２】MFP１０の構成を示す機能ブロック図である。
【図３】ログイン名管理テーブル３２を示す表である。
【図４】Webログイン管理テーブル３４を示す表であり、（ａ）は個人ユーザの一部分に関し、（ｂ）は部門ユーザ一部分に関する。
【図５】ユーザ管理テーブル３６において「ユーザH」に関する部分を示す図である。
【図６】MFP１０の制御部１２が実行するWebログイン処理を示すフローチャートである。
【図７】MFP１０の制御部１２が実行するWebログイン処理を示すフローチャートである。
【図８】MFP１０の制御部１２が実行するWebログイン処理を示すフローチャートである。
【図９】ステップS35におけるWebログイン状況の表示画面を示す。
【図１０】MFP１０の制御部１２が実行する省入力キーと割り当てを用いた入力処理の概要を示すフローチャートである。
【図１１】ステップS44におけるタッチパネル５０と、省入力キー４１〜４５を示す図である。
【図１２】MFP１０の制御部１２が実行するWebログイン処理を示すフローチャートである。
【図１３】MFP１０の制御部１２が実行する情報の閲覧や登録処理の例を示すフローチャートである。
【図１４】ステップS62におけるタッチパネル５０を示す図である。
【図１５】MFPの操作パネル部内の表示画面を示す図である。
【図１６】ステップS65におけるタッチパネル５０を示す図である。
【図１７】MFP１０と接続されたPC１００からも登録内容の表示や編集を行う場合の概念図である。
【図１８】PC１００のWebブラウザウインドウ１１０を示す図である。
【図１９】PC１００のWebブラウザウインドウ１１０を示す図である。
【図２０】PC１００のWebブラウザウインドウ１１０を示す図である。
【図２１】PC１００のWebブラウザウインドウ１１０を示す図である。
【図２２】PC１００のWebブラウザウインドウ１１０を示す図である。
【符号の説明】
【００７４】
１    画像処理システム
２    Webサーバ
１０    MFP
１２    制御部
２２    操作パネル部
２６    Webブラウザ部
２８    Webサーバ部
３０    記憶部
３２    ログイン名管理テーブル
３４    Webログイン管理テーブル
３６    ユーザ管理テーブル
４１〜４５    省入力キー
５０    タッチパネル
６４    閲覧キー
６５    新規登録キー
６６    編集キー
６７    削除キー
１００    PC
１１０    PC１００のWebブラウザウインドウ
【図１】
2008083809.tif 000003
【図２】
2008083809.tif 000004
【図３】
2008083809.tif 000005
【図４】
2008083809.tif 000006
【図５】
2008083809.tif 000007
【図６】
2008083809.tif 000008
【図７】
2008083809.tif 000009
【図８】
2008083809.tif 000010
【図９】
2008083809.tif 000011
【図１０】
2008083809.tif 000012
【図１１】
2008083809.tif 000013
【図１２】
2008083809.tif 000014
【図１３】
2008083809.tif 000015
【図１４】
2008083809.tif 000016
【図１５】
2008083809.tif 000017
【図１６】
2008083809.tif 000018
【図１７】
2008083809.tif 000019
【図１８】
2008083809.tif 000020
【図１９】
2008083809.tif 000021
【図２０】
2008083809.tif 000022
【図２１】
2008083809.tif 000023
【図２２】
2008083809.tif 000024